(57)【要約】【課題】  所定領域内に出入りする人物の判断能力や操作能力等に応じて機器の動作を制御することにより、安全性を確保することである。【解決手段】  本発明に係る認証管理装置１によれば、ドア２に備えられた指紋センサ２２からの入力指紋と家族情報テーブルに記憶されている各家族の指紋データを照合することにより、家屋に出入りした家族を特定し、帰宅した家族については家族情報テーブルに在宅中フラグを、家屋から外出した家族については非在宅中フラグを記憶する。そして、家族情報テーブルを参照して在宅中の人物の種別を判別し、判別された種別に基づいて、ドア２、コンロ３、インターフォン４、金庫５、テレビ６、ＰＣ７のインターネット接続等、家屋内の機器の使用を制限する。また、対象者が帰宅又は外出した場合に、ＰＣ７により所定の宛先に帰宅又は外出を通知するメッセージを送信する。【選択図】図１
2005092336.tif 000002
【特許請求の範囲】
【請求項１】
所定領域内に配置された機器を使用する使用対象者を認証する認証手段と、
前記認証の結果に基づいて、前記所定領域内に存在する使用対象者が予め定められた種別に属する使用対象者であるか否かを判別する判別手段と、
前記判別の結果に応じて前記所定領域内に設置されている機器の動作を制御する制御手段と、
を備えたことを特徴とする機器制御装置。
【請求項２】
前記制御手段は、前記判別の結果、前記所定領域内に存在する使用対象者に前記予め定められた種別に属する使用対象者が含まれる場合に、前記所定領域内に設置されている機器の動作をさせるようにしたことを特徴とする請求項１に記載の機器制御装置。
【請求項３】
前記制御手段は、前記判別の結果、前記所定領域内に存在する使用対象者が前記予め定められた種別に属しない使用対象者である場合に、前記所定領域内に設置されている機器の動作を制限するようにしたことを特徴とする請求項１に記載の機器制御装置。
【請求項４】
前記機器制御装置には、複数種の機器が接続されていることを特徴とする請求項１〜３の何れか一項に記載の機器制御装置。
【請求項５】
前記機器は、ＯＮ状態で動作可能となるものであり、
前記制御手段は、前記判別の結果に応じて、前記機器がＯＮ状態となることを制限することを特徴とする請求項３に記載の機器制御装置。
【請求項６】
前記機器は、開閉動作するものであり、
前記制御手段は、前記判別の結果に応じて、前記機器の開放を制限することを特徴とする請求項３に記載の機器制御装置。
【請求項７】
前記制御手段は、前記判別の結果に応じて、前記機器に設けられた複数機能のうちの何れかの機能を制限することを特徴とする請求項３に記載の機器制御装置。
【請求項８】
所定領域内への進入者又は退出者を認証する認証手段と、
前記認証の結果に基づいて、前記進入者又は退出者が予め定められた種別に属する対象者であるか否かを判別する判別手段と、
前記判別の結果、前記進入者又は退出者が前記予め定められた種別に属する対象者である場合に、前記所定領域内に設置されている機器の動作を制御する制御手段と、
を備えたことを特徴とする機器制御装置。
【請求項９】
前記機器は、前記判別手段の判別結果を通信回線を通じて送信するための機器であり、
前記制御手段は、前記判別の結果、前記進入者又は退出者が前記予め定められた種別に属する対象者である場合に、前記判別結果を送信するように前記機器の動作を制御することを特徴とする請求項８に記載の機器制御装置。
【請求項１０】
コンピュータに、
所定領域内に配置された機器を使用する使用対象者を認証する機能と、
前記認証の結果に基づいて、前記所定領域内に存在する使用対象者が予め定められた種別に属する使用対象者であるか否かを判別する機能と、
前記判別の結果に応じて前記所定領域内に設置されている機器の動作を制御する機能と、
を実現させるためのプログラム。
【請求項１１】
コンピュータに、
所定領域内への進入者又は退出者を認証する機能と、
前記認証の結果に基づいて、前記進入者又は退出者が予め定められた種別に属する対象者であるか否かを判別する機能と、
前記判別の結果、前記進入者又は退出者が前記予め定められた種別に属する対象者である場合に、前記所定領域内に設置されている機器の動作を制御する機能と、
を実現させるためのプログラム。
【発明の詳細な説明】
【技術分野】
【０００１】
本発明は、家屋等の所定領域に配置された機器を使用する使用対象者を認証し、この認証結果に基づいて、所定領域内に設置された機器の動作を制御する機器制御装置及びプログラムに関する。
【背景技術】
【０００２】
従来、個人の生態情報、例えば、指紋、網膜、虹彩、声紋等に基づいて個人認証を行い、家屋等の所定領域の出入りを許可する装置が知られている。認証を行う装置としては、例えば、特許文献１に、指紋を認証する指紋認証システムが記載されている。
【特許文献１】特開２００２−１３３４１８号公報
【発明の開示】
【発明が解決しようとする課題】
【０００３】
従来、上述した生態情報の認証に基づき家屋への出入りを許可された人物であれば、家屋内に設置された機器を使用することができるようになっている。しかしながら、家屋への出入りを許可された人物であっても、その種別（例えば、大人、子供）により判断能力や機器操作能力が異なるので、家屋内の機器の使用を制限することが望ましい場合がある。例えば、大人が外出しており、子供のみが家屋に居るような場合、機器の使用により危険や悪影響が生じることがあるので、機器の使用を制限する必要がある。
【０００４】
本発明の課題は、所定領域内に出入りする人物の判断能力や操作能力等に応じて機器の動作を制御することにより、安全性を確保することである。
【課題を解決するための手段】
【０００５】
上記課題を解決するため、請求項１に記載の発明の機器制御装置は、
所定領域内に配置された機器を使用する使用対象者を認証する認証手段と、
前記認証の結果に基づいて、前記所定領域内に存在する使用対象者が予め定められた種別に属する使用対象者であるか否かを判別する判別手段と、
前記判別の結果に応じて前記所定領域内に設置されている機器の動作を制御する制御手段と、
を備えたことを特徴としている。
【０００６】
請求項８に記載の発明の機器制御装置は、
所定領域内への進入者又は退出者を認証する認証手段と、
前記認証の結果に基づいて、前記進入者又は退出者が予め定められた種別に属する対象者であるか否かを判別する判別手段と、
前記判別の結果、前記進入者又は退出者が前記予め定められた種別に属する対象者である場合に、前記所定領域内に設置されている機器の動作を制御する制御手段と、
を備えたことを特徴としている。
【発明の効果】
【０００７】
請求項１、１０に記載の発明によれば、所定領域内に配置された機器を使用する使用対象者を認証し、この認証の結果に基づいて、所定領域内に存在する使用対象者が予め定められた種別に属する使用対象者であるか否かを判別し、判別の結果に応じて所定領域内に設置されている機器の動作を制御するので、所定領域内に存在する者の種別に応じて、安全性を確保することができる。
【０００８】
請求項２に記載の発明によれば、所定領域内に存在する使用対象者に予め定められた種別に属する使用対象者が含まれる場合に、所定領域内に設置されている機器を動作させるので、例えば、所定領域内に操作能力のある大人が存在する場合に機器を動作させることで、安全性を確保することができる。
【０００９】
請求項３に記載の発明によれば、所定領域内に存在する者が予め定められた種別に属しない使用対象者である場合に、所定領域内に設置されている機器の動作を制御するので、例えば、所定領域内に大人が存在せず、子供や老人のみが存在する場合であっても、安全性を確保することができる。
【００１０】
請求項４に記載の発明によれば、機器制御装置には、複数種の機器が接続されているので、複数の機器の動作を制御することができる。
【００１１】
請求項５に記載の発明によれば、所定領域内に存在する使用対象者の種別の判別結果に応じて、機器がＯＮ状態となることを制限することができるので、機器の使用による危険や悪影響を防止し、安全性を確保することができる。
【００１２】
請求項６に記載の発明によれば、所定領域内に存在する使用対象者の種別の判別結果に応じて、開閉動作する機器の開放を制限することができるので、安全性を確保することができる。
【００１３】
請求項７に記載の発明によれば、所定領域内に存在する使用対象者の種別の判別結果に応じて、機器に設けられた複数機能のうちの何れかの機能を制限することができるので、機器の使用による危険や悪影響を防止し、安全性を確保することができる。
【００１４】
請求項８、１１に記載の発明によれば、所定領域内への進入者又は退出者を認証し、認証の結果に基づいて、進入者又は退出者が予め定められた種別に属する対象者であるか否かを判別し、判別の結果、進入者又は退出者が予め定められた種別に属する対象者である場合に、所定領域内に設置されている機器の動作を制御することができる。
【００１５】
請求項９に記載の発明によれば、進入者、退出者が予め定められた種別に属する対象者である場合に、通信回線を通じて判別結果を告知することができる。
【発明を実施するための最良の形態】
【００１６】
以下、図を参照して本発明の実施形態について説明する。
まず、構成を説明する。なお、本実施の形態においては、本発明に係る機器制御システム１００を家屋内に適用した場合を例にとり説明するが、これに限定されない。
【００１７】
図１に、本発明に係る機器制御システム１００を適用した家屋内部の構成例を示す。図１に示すように、家屋内部には、機器制御装置としての認証管理装置１、ドア２、コンロ３、インターフォン４、金庫５、テレビ６、ＰＣ（パーソナルコンピュータ）７、窓８等の機器が設けられている。機器制御システム１００は、ドア２〜窓８の各機器が、ＬＡＮ（Local Area Network）等の家庭内ネットワークＮ（以下、ネットワークＮと称する）により認証管理装置１と相互にデータの送受信が可能なように接続されて構成されている。各機器のネットワークＮへの接続は、有線接続であっても無線接続であってもよい。また、ＰＣ７は、図示しない電話回線やＩＳＤＮ回線等を介してインターネットＳへ接続可能に構成されている。
【００１８】
認証管理装置１は、家屋へ出入りする人物を認証し、家屋内にいる人物の種別に応じてドア２〜窓８の各機器の動作を制御する装置である。図２に、認証管理装置１の機能的構成を示す。図２に示すようにＣＰＵ１１、入力装置１２、ＲＡＭ１３、表示装置１４、音声入出力装置１５、記録装置１６、Ｉ／Ｆ部１７等により構成され、各部はバス１８により接続されている。
【００１９】
ＣＰＵ（Central Processing Unit）１１は、記録装置１６に記憶されているシステムプログラムを読み出し、ＲＡＭ１３内に形成されたワークエリアに展開し、該システムプログラムに従って各部を制御する。また、ＣＰＵ１１は、記録装置１６に記憶されている認証処理プログラム、家屋内機器制御処理プログラムを始めとする各種処理プログラムを読み出してワークメモリに展開し、後述する認証処理を始めとする各種処理を実行し、それらの処理結果をＲＡＭ１３のワークエリアに記憶する。そして、ワークエリアに格納した処理結果を記録装置１６内の指定の保存先に保存させる。
【００２０】
入力装置１２は、各種操作ボタンや各種機能キーにより構成され、押下操作された操作ボタンや機能キーの押下信号を、入力信号としてＣＰＵ１１に出力する。また、入力装置１１は、表示装置１４の表示画面を覆う透明なシートパネルに、指又は専用のスタイラスペンで触れることにより入力される位置情報を入力信号としてＣＰＵ１１に出力する、タッチパネルにより構成される態様としてもよい。
【００２１】
ＲＡＭ（Random Access Memory）１３は、図３に示すように、家族情報テーブル１３１を記憶する。また、ＲＡＭ１３は、ＣＰＵ１１により実行されるシステムプログラム、各種処理プログラム、各処理において処理中のデータ、処理結果などを一時的に記憶するワークエリアを形成する。
【００２２】
図４に、ＲＡＭ１３に記憶される家族情報テーブル１３１のデータ格納例を示す。家族情報テーブル１３１は、家族の各人毎に家屋内に設置された各機器の使用が可能であるか否か（制限があるか否か）の種別を記憶したテーブルである。図４に示すように、家族情報テーブル１３１は、家族の各人の名前を示すデータ（例えば、○○○幸、○○×子、○○○香、○○×幸）に対応付けて、各人が在宅中か非在宅中かを示すフラグ（例えば、在宅中フラグ、非在宅中フラグ）と、火の使用が可能であるか否かの種別を示すデータ（例えば、火が使用可能な場合は○、火が使用不可の場合は×）と、インターフォン使用制限があるか否かの種別を示すデータ（例えば、インターフォン使用に制限がある場合は○、インターフォン使用に制限がない場合は×）と、金庫を開く操作が可能であるか否かの種別を示すデータ（例えば、金庫を開く操作が可能な場合は○、金庫を開く操作が不可能な場合は×）と、テレビやインターネットの閲覧制限があるか否かの種別を示すデータ（例えば、閲覧可能な場合は○、閲覧不可能な場合は×）と、ドア及び窓を自動的にロックする対象者か否かの種別を示すデータ（例えば、自動ロックする場合は○、自動ロックしない場合は×）、外出や帰宅を所定のアドレスにメールで通知する対象者であるか否かの種別を示すデータ（例えば、通知する場合は○、通知しない場合は×）を記憶している。また、家族の各人の名前を示すデータに、各人の指紋データ（例えば、○○○幸指紋データ、○○×子指紋データ、○○○香指紋データ、○○×幸指紋データ）を対応付けて記憶している。
【００２３】
表示装置１４は、ＬＣＤ（Liquid Crystal Display）やＣＲＴ（Cathode Ray Tube）等により構成され、ＣＰＵ１１から入力される表示信号の指示に従って、各種画面の表示を行う。
【００２４】
音声入出力装置１５は、音声を入力するためのマイクと、Ｉ／Ｆ１７を介してインターフォン４から受信された音声信号を増幅するアンプ及び増幅された音声データを出力するスピーカにより構成されている。
【００２５】
記録装置１６は、磁気的、光学的記録媒体、若しくは半導体メモリなどのＣＰＵ１１で読取可能な記録媒体を含んで構成され、認証管理装置１に対応するシステムプログラム、認証処理を始めとする各種処理プログラム、各種データ等を記憶する。
【００２６】
Ｉ／Ｆ部１７は、ネットワークＮに接続された各機器との間で各種データの送受信を行うためのインターフェース、インターフォン４との間でアナログ音声信号を送受信するためＩ／Ｆを備えて構成されている。
【００２７】
図５に、ドア２の外観を示す。図５に示すように、ドア２の外側には、外側指紋センサ２２ａ、ドアハンドル、鍵穴のほか、呼び出しキー４１、カメラ４２、マイク及びスピーカにより構成される音声入出力装置４３を備えたインターフォン４が備えられている。なお、インターフォン４は、ドア２に備えられることに限定されず、ドア２付近の外壁等に設けられる態様であってもよい。ドア２の内側は、特に図示しないが、内側指紋センサ２２ｂ、開閉制御装置２１、開閉センサ２３、ロック装置２４、ドアハンドル、鍵回し金具等が備えられている。また、ドア２に備えられた開閉制御装置２１、指紋センサ（外側指紋センサ２２ａ、内側指紋センサ２２ｂ）２２、開閉センサ２３、ロック装置２４は、図示しないＩ／Ｆを介して、ネットワークＮに接続された認証管理装置１とデータ送受信可能に接続されている。
【００２８】
コンロ３は、ＯＮ／ＯＦＦ切り替えスイッチがＯＮに切り替え操作されることによりＯＮ状態となり、調理容器を加熱する。コンロ３は、図１に示すように、コンロ３が加熱動作されないようにロックするためのロック装置３１と、コンロ３のスイッチのＯＮ／ＯＦＦを検知するためのＯＮ／ＯＦＦセンサ３２を備えており、ロック装置３１及びＯＮ／ＯＦＦセンサ３２は、図示しないＩ／Ｆを介して、ネットワークＮに接続された認証管理装置１とデータの送受信可能に接続されている。
【００２９】
インターフォン４は、図５に示すように、呼び出しキー４１、カメラ４２、マイク及びスピーカにより構成される音声入出力装置４３を備えており、各装置は、図示しないＩ／Ｆを介して、ネットワークＮに接続された認証管理装置１とデータ及び音声信号の送受信が可能に接続されている。
【００３０】
金庫５は、図１に示すように、鍵の開閉操作に拘わらず、金庫５が開放されないようにロックするためのロック装置５１と、金庫５の鍵の開閉操作を検知するための開閉センサ５２を備えており、ロック装置５１及び開閉センサ５２は、図示しないＩ／Ｆを介して、ネットワークＮに接続された認証管理装置１とデータの送受信可能に接続されている。
【００３１】
テレビ６は、図１に示すように、テレビ６で放映するチャンネルを制御するチャンネル制御装置６１に接続されており、チャンネル制御装置６１は、図示しないＩ／Ｆを介して、ネットワークＮに接続された認証管理装置１とデータの送受信が可能に接続されている。
【００３２】
ＰＣ７は、ＣＰＵ、記憶部、操作部、表示部、認証管理装置１とデータの送受信を行うためのＩ／Ｆ、電話線やＩＳＤＮ回線を介してインターネットに接続するための通信部を備えて構成されるパーソナルコンピュータである。ＰＣ７は、記憶部に記憶されたプログラムに従って、認証管理装置１からの制御に応じてＵＲＬへの接続を制限する。また、記憶部に記憶されたプログラムに従って、認証管理装置１からの制御に応じて認証管理装置１の所定のメールアドレスにメールを送信する。
【００３３】
窓８は、図１に示すように、窓８の開閉動作を検知する開閉センサ８１と、窓８が開放しないようにロックするロック装置８２と、窓８を自動開閉する自動開閉装置８３とを備えており、各装置は、図示しないＩ／Ｆを介して、ネットワークＮに接続された認証管理装置１とデータの送受信可能に接続されている。
【００３４】
次に、本実施形態の動作について説明する。
図６に、認証管理装置１のＣＰＵ１１により実行される認証処理を示す。
【００３５】
内側指紋センサ２２ｂから指紋が入力されると（ステップＳ１；ＹＥＳ）、入力指紋と家族情報テーブル１３１に記憶されている各家族の指紋データとの照合が行われ、入力指紋に該当する人物が特定され（ステップＳ２）、家族情報テーブル１３１の特定された人物の在宅中フラグが非在宅中フラグに変更される（ステップＳ３）。これにより外出する人物が認証され、処理はステップＳ７の家屋内機器制御処理へ移行する。
【００３６】
内側指紋センサ２２ｂからの指紋入力がなく（ステップＳ１；ＮＯ）、外側指紋センサ２２ａから指紋が入力されると（ステップＳ４；ＹＥＳ）、入力指紋と家族情報テーブル１３１に記憶されている各家族の指紋データとの照合が行われ、入力指紋に該当する人物が特定され（ステップＳ５）、特定された人物の、家族情報テーブル１３１の非在宅中フラグが在宅中フラグに変更される（ステップＳ６）。これにより、帰宅した人物が認証され、処理はステップＳ７の家屋内機器制御処理へ移行する。内側指紋センサ２２ｂ及び外側指紋センサ２２ａからの指紋入力がない場合は（ステップＳ４；ＮＯ）、家族情報テーブル１３１が変更されることなく、家屋内機器制御処理が実行される（ステップＳ７）。
【００３７】
なお、ステップＳ５において、入力指紋が家族情報テーブル１３１に記憶されている各家族の指紋データの何れとも一致せず、入力指紋に該当する人物が特定できない場合は、開閉制御装置２１によりドア２を閉じた状態に制御し、ロック装置２４により自動ロックするようにすることが好ましい。
【００３８】
図７〜９に、ＣＰＵ１１によりステップＳ７において実行される家屋内機器制御処理を示す。
まず、コンロ３のＯＮ／ＯＦＦセンサ３２の状態が読み込まれ（ステップＳ１０１）、コンロ３がＯＦＦ状態からＯＮ状態に変化したことが検知されていない場合は（ステップＳ１０２；ＮＯ）、処理はステップＳ１０８に移行する。
【００３９】
コンロ３がＯＦＦからＯＮへ切り替え操作されたことが検知された場合（ステップＳ１０２；ＹＥＳ）、家族情報テーブル１３１が参照され、在宅中で火が使用可能な種別に属する人がいるか否かが判断される（ステップＳ１０３）。在宅中で火が使用可能な種別に属する人がいる（使用可能な種別に属する人のうち誰かしら居れば良い、以後同様）場合は（ステップＳ１０３；ＹＥＳ）、コンロ３に「火を使用可能」であることが通知される（ステップＳ１０４）。在宅中で火が使用可能な種別に属する者がいない（使用可能な種別に属する人が誰も居ない、以後同様）場合は（ステップＳ１０３；ＮＯ）、コンロ３に「火を使用不可」が通知されるとともに（ステップＳ１０５）、ロック装置３１の状態の問い合わせが行われ、ロック中であるか否かが判断される。ロック装置３１がロック中である場合は（ステップＳ１０６；ＹＥＳ）、処理はステップＳ１０８へ移行する。ロック装置３１がロック中でない場合は（ステップＳ１０６；ＮＯ）、ロック装置３１にロックが指示され（ステップＳ１０７）、処理はステップＳ１０８へ移行する。ロック装置３１は、この指示を受けてコンロ３をロックする。
【００４０】
ステップＳ１０８において、インターフォン４から呼び出しキーの操作信号が監視され、インターフォン４が動作したか否かが判断される。インターフォン４が動作していないと判断された場合（ステップＳ１０８；ＮＯ）、処理はステップＳ１１２へ移行する。インターフォン４が動作したと判断された場合（ステップＳ１０８；ＹＥＳ）、家族情報テーブル１３１が参照され、在宅中でインターフォン４の使用に制限のない種別に属する人がいるか否かが判断される（ステップＳ１０９）。在宅中でインターフォン４の使用に制限のない種別に属する人がいる場合は（ステップＳ１０９；ＹＥＳ）、インターフォン４に「制限なし」が通知され（ステップＳ１１０）、処理はステップＳ１１２へ移行する。インターフォン４の使用に制限のない種別に属する人がいない場合は（ステップＳ１０９；ＮＯ）、音声入出力装置１５から入力された音声のインターフォン４への出力が遮断され（ステップＳ１１１）、処理はステップＳ１１２へ移行する。インターフォン４への出力が遮断されることにより、家屋内部からの応答が遮断される。
【００４１】
ステップＳ１１２において、金庫５の開閉センサ５２の状態が読み込まれ（ステップＳ１１２）、金庫５の鍵の閉から開への操作が検知されていない場合は（ステップＳ１１３；ＮＯ）、処理はステップＳ１１９に移行する。
【００４２】
金庫５の鍵が閉から開に操作されたことが検知された場合（ステップＳ１１３；ＹＥＳ）、家族情報テーブル１３１が参照され、在宅中で金庫５の開放が可能な種別に属する人がいるか否かが判断される（ステップＳ１１４）。在宅中で金庫５の開放が可能な種別に属する人がいる場合は（ステップＳ１１４；ＹＥＳ）、金庫５に「制約なし」であることが通知される（ステップＳ１１５）。在宅中で金庫５の開放が可能な種別に属する人がいない場合は（ステップＳ１１４；ＮＯ）、金庫５に「制約中」が通知されるとともに（ステップＳ１１６）、ロック装置５１の状態の問い合わせが行われ、ロック中であるか否かが判断される。ロック装置５１がロック中である場合は（ステップＳ１１７；ＹＥＳ）、処理はステップＳ１１９へ移行する。ロック装置５１がロック中でない場合は（ステップＳ１１７；ＮＯ）、ロック装置５１にロックが指示され（ステップＳ１１８）、処理はステップＳ１１９へ移行する。ロック装置５１は、この指示を受けて金庫５をロックする。
【００４３】
ステップＳ１１９において、テレビ６又はＰＣ７の電源が監視され、テレビ６又はＰＣ７の電源スイッチがＯＦＦからＯＮに操作されたか否かが判断される（ステップＳ１１９）。テレビ６及びＰＣ７の電源スイッチがＯＦＦからＯＮに操作されていないと判断された場合（ステップＳ１１９；ＮＯ）、処理はステップＳ１２３へ移行する。テレビ６又はＰＣ７の電源スイッチがＯＦＦからＯＮに操作されたと判断された場合（ステップＳ１１９；ＹＥＳ）、家族情報テーブル１３１が参照され、在宅中で閲覧に制限のない種別に属する人はいるか否かが判断される（ステップＳ１２０）。在宅中で閲覧に制限のない種別に属する人がいる場合は（ステップＳ１２０；ＹＥＳ）、チャンネル制御装置６１又はＰＣ７に「制約なし」が通知され（ステップＳ１２１）、処理はステップＳ１２３へ移行する。在宅中で閲覧に制限のない種別に属する人がいない場合は（ステップＳ１２０；ＮＯ）、チャンネル制御装置６１又はＰＣ７に「制約中」であることが通知され（ステップＳ１２２）、処理はステップＳ１２３へ移行する。制約中が通知されたチャンネル制御装置６及びＰＣ７は、アクセス可能なチャンネル及びＵＲＬを制限する。
【００４４】
ステップＳ１２３において、家族情報テーブル１３１が参照され、在宅中でドア、窓のロックが非対象の種別に属する人がいるか否かが判断され、ドア、窓のロックが非対象の種別に属する人がいる場合（ステップＳ１２３；ＹＥＳ）、処理はステップＳ１２８へ移行する。在宅中でドア、窓のロックが非対象の種別に属する人がいない場合（ステップＳ１２３；ＮＯ）、ドア２の開閉センサ２３及び窓８の開閉センサ８１の状態が読み込まれ（ステップＳ１２４）、ドア２又は窓８が開放状態である場合は（ステップＳ１２５；ＹＥＳ）、開閉制御装置２１又は自動開閉装置８３にドア２又は窓８の閉鎖が指示され（ステップＳ１２６）、ロック装置２４又はロック装置８２にロックが指示され（ステップＳ１２７）、処理はステップＳ１２８へ移行する。開閉制御装置２１、自動開閉装置８３は、認証管理装置１からの指示に基づいて、ドア２、窓８を自動で閉鎖し、ロック装置２４、ロック装置８２は、認証管理装置１からの指示に基づいて、ドア２、窓８にロックをかける。
【００４５】
ステップＳ１２８において、ドア２の開閉センサ２３の状態が読み込まれ（ステップＳ１２８）、ドア２の開閉動作の有無が判断される。ドア２の開閉動作がない場合（ステップＳ１２９；ＮＯ）、処理は認証処理のステップＳ１に移行する。ドア２の開閉動作がある場合（ステップＳ１２９；ＹＥＳ）、外側指紋センサ２２ａにより指紋が入力されると（ステップＳ１３０）、家族情報テーブル１３１の指紋データと入力指紋との照合が行われ、外から屋内へ入ってきた人物（進入者）が帰宅通知対象の種別に属する人である場合（ステップＳ１３１；ＹＥＳ）、対象者帰宅を通知するメッセージを所定アドレスへ送信することがＰＣ７へ指示される（ステップＳ１３２）。対象者でない場合は、認証処理のステップＳ１に移行する。一方、外側指紋センサ２２ａからの指紋入力でなく、内側指紋センサ２２ｂからの指紋入力がある場合（ステップＳ１３０；ＮＯ）、家族情報テーブル１３１の指紋データと入力指紋との照合が行われ、外出した人物（退出者）が外出通知対象の種別に属する人である場合（ステップＳ１３３；ＹＥＳ）、対象者帰宅を通知するメッセージを所定アドレスへ送信することがＰＣ７へ指示される（ステップＳ１３４）。対象者でない場合は、処理は認証処理のステップＳ１に移行する。ＰＣ７においては、認証制御装置１からの指示を受けて帰宅通知メール若しくは外出通知メールを所定のアドレスに送信する。
【００４６】
以上説明したように、認証管理装置１によれば、ドア２に備えられた指紋センサ２２からの入力指紋と家族情報テーブル１３１に記憶されている各家族の指紋データを照合することにより、家屋に出入りした家族を特定し、帰宅した家族については家族情報テーブル１３１に在宅中フラグを、家屋から外出した家族については非在宅中フラグを記憶する。そして、家族情報テーブル１３１を参照して在宅中の人物が予め定められた種別に属するか否かを判別し、判別結果に基づいて、ドア２、コンロ３、インターフォン４、金庫５、テレビ６、ＰＣ７のインターネット接続等、家屋内の機器の使用を制限する。また、対象者が帰宅又は外出した場合に、ＰＣ７により所定の宛先に帰宅又は外出を通知するメッセージを送信する。
【００４７】
従って、在宅中の人物、即ち、家屋内の機器を使用する使用対象者の属する種別に応じて、家屋内の各機器の利用を制限することができるので、機器の使用による危険や悪影響を防止することができ、安全性を確保することができる。例えば、在宅中の人物に大人が居なく、子供のみである場合、コンロ３の利用を制限することにより、火事による危険を防止することができる。インターフォン４の内部からの応答を制限することにより、外部に、子供のみが在宅中であること知られることを防止できる。金庫５の開操作を制限することにより、子供によるいたずらやお金の持ち出し行為を防止できる。テレビ６の使用可能なチャンネルやＰＣ７のインターネット接続先を制限することにより、子供に悪影響を与える番組、ページを閲覧させないようにすることができる。ドア２、窓８をロックすることにより、外部からの家屋への侵入を防止することができる。
【００４８】
また、帰宅又は外出した人物の種別に応じて、ＰＣ７から所定のアドレスに帰宅又は外出を知らせるメッセージを送信するので、例えば、子供の家屋への出入りを親に通知するようにしておけば、親が子供の帰宅及び外出を外出先から把握することができるようになる。これにより、例えば、子供が外出した場合に電話等で無断外出を止める等、子供の安全性を確保することができる。
【００４９】
なお、上記実施の形態における記述内容は、本発明の好適な一例であり、これに限定されるものではない。
例えば、上記実施の形態においては、家族情報テーブル１３１に、家族の各人物に対して、機器毎に使用が可能か否か（使用制限があるか否か）を示す種別を予め設定しておくこととしたが、例えば、家族情報テーブル１３１に各人が大人か子供かの種別のみを記憶しておき、指紋認証によって特定される在宅中の人物の属する種別に応じて、認証管理装置１が各機器の使用を制限するようにしてもよい。また、種別の判別は、上記実施の形態のように、各人の種別を設定したテーブルを参照して行うことに限定されず、例えば、種別毎（大人と子供）に異なるドア鍵を持たせるようにし、この鍵により種別を判別するようにしてもよい。また、種別としては、上述した機器の使用可・不可、大人・子供の他、所定年齢未満と所定年齢以上、特定人物とそれ以外の人等、様々な種別を用いることができる。
【００５０】
また、機器の制御は、家屋等の所定領域内に存在する者が予め定められた種別に属する者、例えば、子供のみである場合に、機器の動作を制限するように制御してもよいし、予め定められた種別に属しない、例えば、大人に属しない者（子供や老人）である場合に、機器の動作を制限するように制御するようにしてもよい。
【００５１】
また、各機器に指紋センサ等を設け、使用者の種別に応じて機器を制御してもよい。
更に、家屋内等の所定領域内に存在する、機器の使用対象者を認証する手段としては、指紋認証のほか、所定領域内にカメラを設置し、カメラからの入力画像と、予め記録装置に記憶された各人の画像との照合により行うようにしてもよい。
【００５２】
また、使用する機器は、上記実施の形態に限定されず、例えば、固定電話、各種家電製品及びそのリモコン等であってもよい。
【００５３】
その他、認証管理装置１、屋内に設置される各機器の細部構成及び細部動作に関しても、本発明の趣旨を逸脱することのない範囲で適宜変更可能である。
【図面の簡単な説明】
【００５４】
【図１】本発明に係る機器制御システム１００の全体構成を示す図である。
【図２】図１の認証管理装置１の機能的構成を示すブロック図である。
【図３】図２のＲＡＭ１３のデータ格納例を示す図である。
【図４】図３の家族情報テーブル１３１のデータ格納例を示す図である。
【図５】図２のドア２の外観を示す図である。
【図６】図２のＣＰＵ１１により実行される認証処理を示すフローチャートである。
【図７】図２のＣＰＵ１１により実行される家屋内機器制御処理を示すフローチャートである。
【図８】図２のＣＰＵ１１により実行される家屋内機器制御処理を示すフローチャートである。
【図９】図２のＣＰＵ１１により実行される家屋内機器制御処理を示すフローチャートである。
【符号の説明】
【００５５】
１００  機器制御システム
１  認証管理装置
１１  ＣＰＵ
１２  入力装置
１３  ＲＡＭ
１４  表示装置
１５  音声入出力装置
１６  記録装置
１７  Ｉ／Ｆ部
１８  バス
２  ドア
２１  開閉制御装置
２２  指紋センサ
２３  開閉センサ
２４  ロック装置
３  コンロ
３１  ロック装置
３２  ＯＮ／ＯＦＦセンサ
４  インターフォン
４１  呼び出しキー
４２  カメラ
４３  音声入出力装置
５  金庫
５１  ロック装置
５２  開閉センサ
６  テレビ
６１  チャンネル制御装置
７  ＰＣ
８  窓
８１  開閉センサ
８２  ロック装置
８３  自動開閉装置
【図１】
2005092336.tif 000003
【図２】
2005092336.tif 000004
【図３】
2005092336.tif 000005
【図４】
2005092336.tif 000006
【図５】
2005092336.tif 000007
【図６】
2005092336.tif 000008
【図７】
2005092336.tif 000009
【図８】
2005092336.tif 000010
【図９】
2005092336.tif 000011